【手続補正書】
【提出日】令和3年4月6日(2021.4.6)
【手続補正１】
【補正対象書類名】特許請求の範囲
【補正対象項目名】請求項９
【補正方法】変更
【補正の内容】
【請求項９】
前記漢字列の意味に関するアルファベット文字列を決定するアルファベット文字列決定工程を含み、
前記レイアウト決定工程は、前記アルファベット文字列を前記画像に合成する請求項１から８のいずれか一項に記載の画像処理方法。
【手続補正２】
【補正対象書類名】明細書
【補正対象項目名】００６２
【補正方法】変更
【補正の内容】
【００６２】
本発明によれば、取得した画像に含まれるオブジェクトに関連する漢字列を抽出し、オブジェクトを前景とし漢字列を背景として漢字列を画像に合成する。これにより、オブジェクトの視認性を阻害することなく、オブジェクトを含む画像に漢字列を合成することができ、画像と漢字とを一体的に楽しむことが可能となる。
【手続補正３】
【補正対象書類名】明細書
【補正対象項目名】００９１
【補正方法】変更
【補正の内容】
【００９１】
一つのプロセッサを用いて複数の処理部を構成する他の例として、複数の処理部を含むシステム全体の機能を一つのＩＣチップを用いて実現するプロセッサを使用する形態が挙げられる。
【手続補正４】
【補正対象書類名】明細書
【補正対象項目名】０１０２
【補正方法】変更
【補正の内容】
【０１０２】
文字サイズ決定部１４０は、漢字列４４及びハッシュタグ４６のサイズを決定する。文字サイズ決定部１４０は、オブジェクト属性情報に含まれるオブジェクト４２のサイズ等に応じて、漢字列４４のサイズを決定し得る。文字サイズ決定部１４０は、漢字列４４のサイズに応じてハッシュタグ４６のサイズを決定する。
【手続補正５】
【補正対象書類名】明細書
【補正対象項目名】０１１６
【補正方法】変更
【補正の内容】
【０１１６】
オブジェクト抽出工程Ｓ１４では、図１に示すオブジェクト抽出部１４は、規定の被写体が撮像装置３０のフォーカス領域に入ったか否かを判定する。オブジェクト抽出工程Ｓ１４において、オブジェクト抽出部１４が規定の被写体が撮像装置３０のフォーカス領域に入っていないと判定した場合はＮｏ判定となる。Ｎｏ判定の場合、画像処理方法の手順は撮像終了判定工程Ｓ２８へ進む。
【手続補正６】
【補正対象書類名】明細書
【補正対象項目名】０１２５
【補正方法】変更
【補正の内容】
【０１２５】
合成画像記憶判定工程Ｓ２４において、画像処理システム１０が表示部２４へ合成画像が表示されたタイミングからスマートフォン１０Ａの撮像ボタンが操作されず、一定期間が経過したと判定された場合はＮｏ判定となる。Ｎｏ判定の場合、画像処理方法の手順はオブジェクト抽出工程Ｓ１４へ進む。以下、合成画像記憶判定工程Ｓ２４においてＹｅｓ判定となるまで、オブジェクト抽出工程Ｓ１４から合成画像記憶判定工程Ｓ２４までの各工程が繰り返し実施される。
【手続補正７】
【補正対象書類名】明細書
【補正対象項目名】０１２７
【補正方法】変更
【補正の内容】
【０１２７】
合成画像記憶工程Ｓ２６では、合成部２０は合成画像５２を合成画像記憶部２６へ記憶する。合成画像記憶工程Ｓ２６の後に画像処理方法の手順は撮像終了判定工程Ｓ２８へ進む。
【手続補正８】
【補正対象書類名】明細書
【補正対象項目名】０１２８
【補正方法】変更
【補正の内容】
【０１２８】
撮像終了判定工程Ｓ２８では、画像処理システム１０は撮像を終了するか否かを判定する。撮像終了判定工程Ｓ２８において画像処理システム１０が撮像を終了しないと判定した場合はＮｏ判定となる。Ｎｏ判定の場合、画像処理方法の手順はオブジェクト抽出工程Ｓ１４へ進み、撮像終了判定工程Ｓ２８においてＹｅｓ判定となるまで、オブジェクト抽出工程Ｓ１４から撮像終了判定工程Ｓ２８の各工程を繰り返し実施する。
【手続補正９】
【補正対象書類名】明細書
【補正対象項目名】０１２９
【補正方法】変更
【補正の内容】
【０１２９】
一方、撮像終了判定工程Ｓ２８において画像処理システム１０が撮像を終了すると判定した場合はＹｅｓ判定となる。Ｙｅｓ判定の場合は、画像処理システム１０は画像処理方法を終了する。
【手続補正１０】
【補正対象書類名】明細書
【補正対象項目名】０１８２
【補正方法】変更
【補正の内容】
【０１８２】
印刷判定工程Ｓ１１２では、印刷部１３８は印刷指示信号を取得したか否かを判定する。印刷判定工程Ｓ１１２において印刷部１３８が印刷指示信号を取得しないと判定された場合はＮｏ判定となる。Ｎｏ判定の場合、画像処理方法の手順は終了判定工程Ｓ１１６へ進む。
【手続補正１１】
【補正対象書類名】明細書
【補正対象項目名】０１８４
【補正方法】変更
【補正の内容】
【０１８４】
一方、印刷判定工程Ｓ１１２において、印刷部１３８が印刷指示信号を取得したと判定された場合はＹｅｓ判定となる。Ｙｅｓ判定の場合、画像処理方法の手順は合成画像印刷工程Ｓ１１４へ進む。印刷判定工程Ｓ１１２において印刷部１３８が印刷指示信号を取得したと判定する例として、表示部１３６に表示した、印刷を実施することを選択するボタンが操作された場合が挙げられる。
【手続補正１２】
【補正対象書類名】明細書
【補正対象項目名】０２１２
【補正方法】変更
【補正の内容】
【０２１２】
第一具体例に係る合成画像５２Ｅは、画像５０Ｅの雰囲気を損なうことなく、オブジェクト４２Ｅに関連する漢字列４４Ｅを楽しむことが可能となる。
【手続補正１３】
【補正対象書類名】明細書
【補正対象項目名】０２１７
【補正方法】変更
【補正の内容】
【０２１７】
合成画像５２Ｍは、画像５０Ｍに対して、図１１に示す第三模様６０と同様の第四模様７２が合成画像５２Ｍの下縁に合成される。
【手続補正１４】
【補正対象書類名】明細書
【補正対象項目名】０２１８
【補正方法】変更
【補正の内容】
【０２１８】
合成画像５２Ｍは、画像５０Ｍを構成するポストに座った人物が漢字列４４Ｍの最前面とされ、画像５０Ｍを構成する日中の繁華街の風景が合成画像５２Ｍにおける最背面とされる。
【手続補正１５】
【補正対象書類名】明細書
【補正対象項目名】０２１９
【補正方法】変更
【補正の内容】
【０２１９】
第三具体例に係る合成画像５２Ｍは、画像５０Ｍとして二つの画像を合成した画像が適用され、二つの画像の一方が最前面とされ、他方が最背面とされる。このようにして、様々な画像を合成して、漢字を楽しむことが可能である。
【手続補正１６】
【補正対象書類名】明細書
【補正対象項目名】０２２０
【補正方法】変更
【補正の内容】
【０２２０】
〔第四具体例〕
図１４は第四具体例に係る合成画像の説明図である。同図に示す合成画像５２Ｎは、参道を歩く人物を写した画像５０Ｎが適用される。合成画像５２Ｎは、画像５０Ｎに対して、オブジェクト４２Ｎとして抽出された参道を歩く人物に関連する歩という単語が、漢字列４４Ｎとして合成される。また、合成画像５２Ｎは、画像５０Ｎに対して、歩という漢字列４４Ｎの意味に関連する＃ｗａｌｋｉｎｇがハッシュタグ４６Ｎとして合成される。
【手続補正１７】
【補正対象書類名】明細書
【補正対象項目名】０２３２
【補正方法】変更
【補正の内容】
【０２３２】
１０  画像処理システム
１０Ａ  スマートフォン
１２  画像取得部
１３  画像記憶部
１４  オブジェクト抽出部
１５  オブジェクト属性情報記憶部
１６  漢字照合部
１８  レイアウト決定部
２０  合成部
２２  漢字テンプレートデータベース
２４  表示部
２４Ａ  液晶ディスプレイ
２６  合成画像記憶部
３０  撮像装置
４２  オブジェクト
４２Ｅ  オブジェクト
４２Ｌ  オブジェクト
４２Ｍ  オブジェクト
４２Ｎ  オブジェクト
４２Ｐ  オブジェクト
４４  漢字列
４４Ｅ  漢字列
４４Ｌ  漢字列
４４Ｍ  漢字列
４４Ｎ  漢字列
４４Ｐ  漢字列
４６  ハッシュタグ
４６Ｅ  ハッシュタグ
４６Ｌ  ハッシュタグ
４６Ｍ  ハッシュタグ
４６Ｎ  ハッシュタグ
４６Ｐ  ハッシュタグ
４８  漢字テンプレート
５０  画像
５０Ｅ  画像
５０Ｌ  画像
５０Ｍ  画像
５０Ｎ  画像
５０Ｐ  画像
５２  合成画像
５２Ｅ  合成画像
５２Ｌ  合成画像
５２Ｍ  合成画像
５２Ｎ  合成画像
５２Ｐ  合成画像
５９  風景
６０  第三模様
７１  背景
７２  第四模様
７４  第五模様
７６  第六模様
１００  画像処理システム
１０２  サーバ装置
１０４  ネットワーク
１０６Ａ  第一スマートフォン
１０６Ｂ  第二スマートフォン
１０８  ノート型パーソナルコンピュータ
１１０  セルフ印刷端末装置
１２０  画像取得部
１２２  画像記憶部
１２４  オブジェクト抽出部
１２６  オブジェクト属性情報記憶部
１２８  漢字照合部
１３０  レイアウト決定部
１３２  合成部
１３４  漢字テンプレートデータベース
１３６  表示部
１３８  印刷部
１４０  文字サイズ決定部
１４２  文字色決定部
１４４  文字位置決定部
１４６  文字方向決定部
１４８  文字修飾決定部
１５０  前景決定部 
５２  透過決定部
１５４  レイアウト修正部
２００  レイアウト設定画面
２０２  合成画像表示領域
２１０  位置設定領域
２１２  ｘ座標値ボックス
２１４  ｙ座標値ボックス
２２０  サイズ設定領域
２２２  漢字ポイントボックス
２２４  ハッシュタグポイントボックス
２３０  色設定領域
２３２  色表示ボックス
２３４  抜きボタン
２４０  方向設定領域
２４２  角度ボックス
２５０  修飾設定領域
２５２  有ボタン
２５４  無ボタン
２６０  前景設定領域
２６２  前景選択ボタン
２６４  背景選択ボタン
２７０  透過度設定領域
２７２  透過度ボックス
Ｓ１０からＳ２８、Ｓ１００からＳ１１６、Ｓ２００からＳ２２０  画像処理方法の各工程  
【手続補正１８】
【補正対象書類名】図面
【補正対象項目名】図６
【補正方法】変更
【補正の内容】
【図６】
2020160745.tif 000001